(57)【要約】本発明は、特にジョギング、スケーティング、スキー等のようなスポーツ活動時に使用するための気候調整式の衣服に関する。この場合、当該衣服は少なくとも１つの気候ゾーン（１，２）を有している。気候ゾーン（１，２）は当該衣服の内部で、需要に応えて配置された気候エレメント（３）から形成されていてよい。本発明はさらに、特にスポーツ活動時に皮膚範囲を除湿するための方法に関する。このためには、テクスタイルリブ（３２２）を備えた布地（３２）が製作され、該布地（３２）を用いて湿分が毛管作用によって、皮膚（３４）から離れる方向で表面へ案内される。テクスタイル表面はウェブ（３２１）により形成される。
2005517095.tif 000002
【特許請求の範囲】
【請求項１】
特にジョギング、スケーティング、スキー等のようなスポーツ活動時に使用するための気候調整式の衣服において、少なくとも１つの気候ゾーン（１，２）が設けられていることを特徴とする気候調整式の衣服。
【請求項２】
気候ゾーン（１）が、ほぼ気候通路（１１，１２，１３）の形に形成されている、請求項１記載の気候調整式の衣服。
【請求項３】
気候ゾーン（１）が、気候面（１４，１５）の形に形成されている、請求項１記載の気候調整式の衣服。
【請求項４】
前記気候通路（１１，１２，１３）および／または前記気候面（１４，１５）が、気候調整式のメッシュ生地から成っている、請求項２または３記載の気候調整式の衣服。
【請求項５】
気候ゾーン（２）が、種々異なる厚さの材料から、かつ／または多層に形成されている、請求項１から４までのいずれか１項記載の気候調整式の衣服。
【請求項６】
気候ゾーン（２）が、クッションの形を有している、請求項１から５までのいずれか１項記載の気候調整式の衣服。
【請求項７】
前記クッションが複数のリブ（２１１，２２１，２３１）により形成されている、請求項６記載の気候調整式の衣服。
【請求項８】
各リブ（２１１，２２１，２３１）の間に伸縮継ぎ目（２１２，２２２，２３２）が配置されている、請求項７記載の気候調整式の衣服。
【請求項９】
気候ゾーン（２）が、伸縮ゾーン（２８）として形成されている、請求項１から８までのいずれか１項記載の気候調整式の衣服。
【請求項１０】
気候ゾーン（２）が、ほぼ円形の横断面を有しかつ中空に形成されている複数のウェブ（２７１，２９１）から成る気候ゾーン（２７，２９）の形に形成されている、請求項１から９までのいずれか１項記載の気候調整式の衣服。
【請求項１１】
各ウェブ（２７１，２９１）の間にストリップ（２７２，２９２）が設けられている、請求項１０記載の気候調整式の衣服。
【請求項１２】
前記ストリップ（２７２，２９２）が、少なくとも所定の区分でブリッジ（２７３）を介して互いに結合されている、請求項１１記載の気候調整式の衣服。
【請求項１３】
特にジョギング、スケーティング、スキー等のようなスポーツ活動のための衣服に使用するためのエレメントにおいて、波形に配置された布地（３２）の上側が保持布地（３３）によってカバーされており、前記波形に配置された布地（３２）に複数のリブ（３２２）とウェブ（３２１）とが形成されていることを特徴とする、スポーツ活動のための衣服に使用するためのエレメント。
【請求項１４】
前記リブ（３２２）が保持布地（３３）と共に中空室（３７）を形成している、請求項１３記載のエレメント。
【請求項１５】
前記ウェブ（３２１）と皮膚（３４）との間に中空室（３６）が形成されており、該中空室（３６）が、側方で前記リブ（３２２）により仕切られている、請求項１３または１４記載のエレメント。
【請求項１６】
前記リブ（３２２）が、前記ウェブ（３２１）よりも小幅に形成されている、請求項１３から１５までのいずれか１項記載のエレメント。
【請求項１７】
前記波形に配置された布地（３２）が、所定の範囲毎に種々異なる材料から成っている、請求項１３から１６までのいずれか１項記載のエレメント。
【請求項１８】
前記波形に配置された布地（３２）と、前記保持布地（３３）とが、被覆体（３８）を備えている、請求項１７記載のエレメント。
【請求項１９】
前記被覆体（３８）が銅および／または銀および／または金から成っている、請求項１８記載のエレメント。
【請求項２０】
当該エレメント（３）が、クッションの形で多層に形成されている、請求項１３から１９までのいずれか１項記載のエレメント。
【請求項２１】
当該エレメント（３）が、皮膚とは反対の側に固定エレメントを備えている、請求項１３から２０までのいずれか１項記載のエレメント。
【請求項２２】
特にスポーツ活動時に皮膚範囲を除湿するための方法において、テクスタイルリブ（３２２）を備えた布地（３２）を製作し、該布地（３２）を用いて湿分を毛管作用によって、皮膚（３４）から離れる方向で、テクスタイル表面を形成するウェブ（３２１）へ案内することを特徴とする、皮膚範囲を除湿するための方法。
【請求項２３】
テクスタイルリブにより湿分流を加速させるために、空気室（３６，３７）を用いて体熱を利用する、請求項２２記載の方法。
【発明の詳細な説明】
【技術分野】
【０００１】
本発明は、特にジョギング、スケーティング、スキー等のようなスポーツ活動時に使用するための衣服内気候調整式（klimaregulierend.）の衣服に関する。さらに本発明は、特にスポーツ活動時に皮膚範囲を除湿するための方法に関する。
【０００２】
衣服は人間を保護するために、特に天候に対して保護するために役立つ。特定の条件下、たとえばスポーツ活動時の条件下では、衣服はさらに負傷に対して人間を保護するためにも役立つ。高い外温度の場合を除いて、衣服はもっぱら複数の種々の衣服部分から成っており、これらの衣服部分は複数の層になって重なり合って着装される。衣服の外側の層は主として、防風性および防水性を兼ね備えていて、これにより風による人間の体温低下を回避しかつ降雨時に衣服への水の侵入に対して人間を保護するという役目を持っている。
【０００３】
特に多層の衣服の場合、発汗が生じ得る。人間のスポーツ活動時では、この発汗量が平均以上に高くなる。汗形成により、衣服の着心地は著しく減じられる。とりわけ極めて激しい発汗が生じるゾーンでは、皮膚に不快感が生じ、このことはさらに、スポーツ活動後に引き続き体温が低下した際に風邪、けいれん等を引き起こす危険を高める。このような危険を減少させるためには、汗の搬出を可能にすることが努力されている。このためには、衣服の、皮膚に面した側にテリークロス（terry-loops；タオル織物）を装備し、このテリークロスにより湿分の吸収を可能にしようすることが知られている。こうして形成された衣服には次のような欠点がある。すなわち、テリークロスはたしかに湿分を吸収するが、しかし湿分を皮膚から導出するのではなく、クロス内部に吸い上げるに過ぎない。これにより、衣服内に湿分が留まってしまうので、スポーツ活動の後では、高い発汗量の区分を覆っている衣服の範囲が湿ってしまう。これらの範囲は引き続き皮膚と接触したままとなる。このことは皮膚に不快感をもたらす。この不快感は特に、スポーツ活動に続いて人間も衣服も冷え、ひいては衣服内の冷たい湿分が皮膚と接触することにより、ますます高められる。さらに、公知の衣服は種々異なる負荷のゾーンを全く考慮していない。
【０００４】
ドイツ連邦共和国実用新案第２９７１５７６２号明細書に基づき、気候調整式のストッキングが公知である。このストッキングは足の気候調整を改善するための空気通路を備えている。しかし、ストッキングの場合には冷却の問題はほとんど生じない。なぜならば、ストッキングは一般に固いシューズ内に収納されているからである。この理由から、水の侵入に対する保護もストッキングの場合にはあまり重要にならない。
【０００５】
したがって、本発明の根底を成す課題は、一方では発汗した汗の、皮膚からの搬出を改善して、発生した湿分の蒸発を可能にし、他方では湿分の蒸発しなかった部分を布地により吸収させると同時に、特に負荷された個所における冷却ならびに外部からの湿分の侵入を阻止するような気候調整式の衣服を提供することである。
【０００６】
本発明によれば、上記課題は少なくとも１つの気候ゾーンにより解決される。
【０００７】
本発明によれば、発生した汗の搬出を著しく改善しかつ体温低下に対する保護部を形成する、特にスポーツ活動のための気候調整式の衣服が提供される。衣服に種々異なる気候ゾーンを設けることにより、特定の身体部位に生じた汗量に関連して種々異なる程度で汗を吸収するか、もしくは汗を搬出する範囲を衣服に設け、しかも外部からの湿分の侵入や、特にこれに関係した部位における体温低下の危険を阻止することが可能となる。本発明は、高められた体温または低い体温によるその都度の負荷に、それぞれ当該負荷に調和された気候ゾーンを用いて反応する衣服を提供する。これにより、全体的には身体の能力範囲は拡張されている。
【０００８】
本発明の改良形では、気候ゾーンが実質的に気候通路の形に形成されている。これらの気候ゾーンは気候調整式の網状編地もしくはメッシュ生地（Netzstrickgewebe）から成っていると有利である。気候通路は発生した湿分の大部分の蒸発を可能にする。さらに、気候通路はメッシュ生地による湿分の吸収を可能にする。付加的に、気候通路を用いて、衣服の特に負荷された範囲から、自由な蒸発が可能となる衣服範囲へ汗湿分を搬送することができる。
【０００９】
気候ゾーンが、種々異なる厚さの材料から製造されていると有利である。本発明の構成では、気候ゾーンが多層に形成されていてもよい。これにより、一方ではより大きな量の湿分を衣服に吸収し、かつそれと同時にこの湿分を皮膚から離れる方向で衣服の外側の層へ搬送することが可能となる。これにより、皮膚には快適な着心地もしくは着装感が残る。さらにこれによって、とりわけたとえばスキーの際の膝に認められるような、しばしば冷え感が生じる部位において、衣服の厚肉な構成により、このような不快感を阻止することも可能になる。
【００１０】
本発明の有利な改良形では、気候ゾーンがクッションの形を有している。クッションは衣服の種々の個所に配置されていてよい。クッションは一方では衣服を通じた湿分の侵入を阻止し、他方では特に膝や肘の範囲において転倒時の負傷を防止する。さらに、クッションは圧痛部位を防止することができる。
【００１１】
本発明のさらに別の構成では、気候ゾーンがエレメントの形で衣服内に持ち込まれている。このようなエレメントでは、波形に配置された布地の上側が保持布地によってカバーされており、この場合、波形に配置された布地では複数のリブとウェブとが形成されている。これにより、発生した汗の、皮膚から離れる方向での搬出が著しく改善される。さらに、このようなエレメントのモジュール式配置に基づき、衣服を特定の身体部位およびその発汗量に最適に調和させることが可能になる。これにより、高められた温度または低下した温度によるその都度の負荷に、それぞれ当該負荷に調和された気候ゾーンによって反応する衣服を製造することが可能になる。これにより、全体的に身体の能力範囲が拡張される。
【００１２】
本発明のさらに別の構成では、前記リブが保持布地と共に中空室を形成している。前記ウェブと皮膚との間に別の中空室が形成されていて、この中空室が側方で前記リブにより仕切られていると有利である。これらの中空室により、皮膚と周辺環境との間には空気クッションが提供されており、この空気クッションは、スポーツ活動時での高い体温と、たとえば冬季における低い周辺温度との間の温度補償を生ぜしめる。これにより、皮膚における冷感が回避される。逆の場合（周辺温度が皮膚温度よりも高い場合、つまりたとえば夏季における事例）には、逆の効果が生じる。これにより、全体的には体調が著しく改善される。
【００１３】
本発明のさらに別の有利な構成では、布地の糸が被覆されている。コーティングもしくは被覆は電気メッキにより行われると有利である。これによりとりわけ、被覆体が糸の表面全体を覆うことが保証されている。被覆体は銀、銅または金から成っていると有利である。この被覆体は磁気シールド作用を有している。銀および銅はさらに、細菌の繁殖を阻止するか、もしくは細菌を死滅させる。これにより、汗臭の著しい低減が生ぜしめられる。
【００１４】
本発明のさらに別の構成では、気候調整式のエレメントが、皮膚とは反対の側に固定エレメントを備えている。この固定エレメントは面ファスナとして形成されていると有利である。固定エレメントは、気候ゾーンを衣服にあとから装備することを可能にする。
【００１５】
さらに、本発明の根底を成す課題は、湿分を有効にかつ連続的に皮膚から離れる方向に搬出することのできる方法を提供することである。この課題は本発明によれば、繊維リブもしくはテクスタイルリブ（Textilrippen）を備えた布地を製作し、該布地を用いて湿分を毛管作用によって、皮膚から離れる方向で、繊維表面もしくはテクスタイル表面を形成するウェブへ案内することにより解決される。
【００１６】
本発明によれば、特にスポーツ活動中に皮膚範囲を有効に除湿するための方法が提供されている。毛管作用によってテクスタイルリブを介して皮膚から離れる方向でテクスタイル表面にまで湿分を導出することにより、蒸発面の移動が得られる。このような移動に基づき、皮膚表面の連続的な乾燥が得られる。
【００１７】
本発明の別の改良形では、テクスタイルリブにより湿分流を加速させるために、空気チャンバを用いて体熱を利用することにより、皮膚範囲の除湿が最適化される。
【００１８】
本発明のさらに別の改良形およびさらに別の構成は、請求項２〜請求項１２、請求項１４〜請求項２１もしくは請求項２３に記載されている。以下に、本発明の実施例を図面につき詳しく説明する。
【００１９】
図１は、気候調整式の衣服を着装した人間を正面から見た図であり、
図２は、図１に示した人間を右側から見た図であり、
図３は、図１に示した人間を背後から見た図であり、
図４は、図３に「Ｘ」で示した範囲の、皮膚とは反対の側を示す拡大図であり、
図５は、図４に示した部分の、皮膚に面した側を示す図であり、
図６は、図４のＶＩ−ＶＩ線に沿った断面図であり、
図７は、図４のＶＩＩ−ＶＩＩ線に沿った断面図であり、
図８は、気候調整式の気候エレメントの横断面図であり、
図９は、波形に配置された布地における範囲毎のテクスタイルミックスを概略的に示す図であり、
図１０は、気候調整式の気候エレメントの、皮膚に面した側の概略図であり、
図１１は、皮膚除湿のための方法を示す概略図である。
【００２０】
実施例として選択された衣服はオーバオール（上っ張り）である。このオーバオールは図示の人間を首から手首もしくは足首にかけて覆っている。この衣服は種々異なる気候ゾーン１，２を有している。これらの気候ゾーン１，２は種々の材料から製造されている。材料組合せの使用、たとえば羊毛と弾性繊維材料、たとえばエラスタン（Elastan）、中空繊維との組合せ使用も可能である。気候ゾーン１はメッシュ生地（Netzstrickgewebe）またはこれに類するものから形成されており、気候ゾーン２は種々異なる厚さの材料から、かつ／または多層に形成されている。
【００２１】
メッシュ生地から製造された気候ゾーン１は、主として気候通路１１の形に形成されている。この気候通路１１は、特に発汗により負荷された範囲から湿分を導出するために役立つ。気候通路１１は脇の下の範囲から背中の方向へ延び、そして骨盤範囲を経て臀部（お尻）範囲にまで延びている。衣服の胸範囲からは別の気候通路１２が延びており、この気候通路１２は側方で鉛直方向に衣服に沿って上半身から脚に沿って足関節（足首）にまで延びている。大腿の上方の範囲には、第３の気候通路１３が設けられており、この第３の気候通路１３はこの範囲を環状に取り囲んでいる。これらの気候通路１１，１２，１３は特殊なメッシュ生地から製造されており、このメッシュ生地の場合には、使用された糸によって皮膚の８０％しか覆われていない。これにより、最適な空気循環が生ぜしめられている。
【００２２】
さらに、膝窩（ひかがみ）の範囲には、メッシュ生地から成る別の気候ゾーンが気候面１４の形で配置されている。この気候面１４は極めて薄い布地から製造されており、この布地は発生した汗を吸収しかつ蒸発を可能にする。この実施例の変化形では、このような気候面を脇の下や肘の内側の範囲にも配置することが可能となる。さらに、大腿の内側にも気候面１５が設けられている。この気候面１５は同じく極めて薄い材料から成っており、このことは、スポーツ活動時に高い体温により負荷された大腿内側において良好な気候調整をもたらす。
【００２３】
気候ゾーン２は衣服にわたって分配されて配置されている。肩の範囲には、符号２１で示した気候ゾーンが互いに平行に配置された多数のリブ２１１から形成されている。これらのリブ２１１の間には、伸縮継ぎ目２１２が配置されていると有利である。これらの伸縮継ぎ目２１２は高度の運動自由度を保証する。気候ゾーン２１はストレッチリブ布地（Stretch-Rippengewebe）である。リブ２１１により、一種のクッションが生ぜしめられている。図示の実施例の変化形では、気候ゾーン２１が、一層細密なリブ構造を有しているか、またはハニカム構造を有していてもよい。
【００２４】
肘の範囲には、符号２２で示したさらに別の気候ゾーンが、そして膝の範囲には、さらに別の気候ゾーン２３が、それぞれ補強部の形で設けられている。この場合にも、リブ状の補強部２２１，２３１の間には、伸縮継ぎ目２２２，２２３が配置されており、これらの伸縮継ぎ目２２２，２２３は高度の運動自由度を可能にする。リブ２１１，２２１，２３１はナイロンから製造されていると有利である。気候ゾーン２１，２２，２３は一方ではクッションとして働き、これにより特にスポーツ活動時では負傷の危険が減じられる。さらに、これらの範囲は、衣服の、汗により生ぜしめられたわけではない湿分により高負荷された範囲を、この湿分の侵入に対して保護するためにも適している。それと同時に、これらの気候ゾーン２１，２２，２３は、たとえばすきま風による体温低下を阻止する。クッションはプラスチック糸またはコンパウンド布地またはこれに類する材料から製造されている。気候ゾーン２１，２２，２３は気候調整性の布地、有利にはリブ編み形式の布地から製造されている。このリブ編み形式では、布地が皮膚に完全には接触しないので、より多くの空気が皮膚へ到達することができる。この実施例において、気候ゾーン２１，２２，２３はネクステン（Nexten）から製造されている。気候ゾーン２３に対して側方で隣接して伸縮ゾーン２８が配置されている。これらの伸縮ゾーン２８は鉛直方向に向けられたリブ構造を有している。伸縮ゾーン２８は、いかなる運動時でも身体への衣服の最適な適合を生ぜしめる。
【００２５】
気候通路１１，１３の間には、骨盤・臀部範囲においてリブ状の気候ゾーン２４が形成されている。この気候ゾーン２４はこの実施例では鉛直方向に向けられている。気候ゾーン２４は衣服の前側に沿っても環状に延びている。気候ゾーン２４は複数のリブ２４１を有しており、これらのリブ２４１は、この実施例では気候通路として形成されている、各リブ２４１の間に配置された継ぎ目２４２よりも大きな材料厚さを有している。リブ２４１のこのような厚めの形成に基づき、身体は一方では体温低下に対して保護されており、他方では各リブの間に気候通路として形成された継ぎ目により過熱に対して保護されている。図示の実施例とは異なり、気候ゾーン２４を個々の小さなゾーンに分割することも可能である。その場合、これらのゾーンは空気通路１１，１２，１３により中断されるか、もしくは制限されていてよい。
【００２６】
気候ゾーン１，２に対して付加的に、衣服はクッションを備えていてよい。その場合、特に「ロッドパディング（Stabpadding）」２５を使用することができる。このロッドパディング２５は下腿ならびに前腕の範囲に配置されていてよい。このロッドパディング２５は有利にはウールまたは木綿を巻き付けられてカバリングされた中空繊維から製造されている。中空プラスチック糸は特に著しい衝撃・圧力緩衝性を有している。さらに、アキレス腱範囲にもクッションが設けられていてよく、これによりハイカットの靴の場合に靴擦れが回避される。さらに、大腿の範囲にも軽度のクッションを設けることが可能である。これにより、この範囲においても、体温低下の危険もしくは湿分侵入の危険が減じられる。
【００２７】
足首の範囲では、脚内側に別のクッション２６が配置されている（図１参照）。このクッション２６は圧痛個所を回避するために役立つ。付加的にクッション２６は衣服の最適なフィットのために役立つ。この実施例の変化形では、脚外側にもクッション２６が設けられていてよい。
【００２８】
衣服はさらに背中の気候ゾーン２７を有している。この気候ゾーン２７はほぼ三角形の形状を有している。気候ゾーン２７は水平方向に向けられた複数のウェブ２７１から成っている。これらのウェブ２７１はほぼ丸められた横断面を有しており、この横断面はこの実施例では約５ｍｍの直径を有している。ウェブ２７１は皮膚と接触しており、これにより図６および図７から判るように、内部が中空であるチューブ状の形状が得られる。各ウェブ２７１の間には、皮膚とは反対の側にストリップ２７２が設けられている。これらのストリップ２７２はこの実施例では約６〜１０ｍｍの幅を有している。ストリップ２７２は一般に皮膚とは接触していない。ストリップ２７２は所定の区分にわたってブリッジ２７３を介して互いに結合されている。このような構成に基づき、全体的には背中の気候ゾーン２７の材料の僅かな部分しか、つまり構成に応じて材料の２０％しか皮膚と接触していない。ウェブ２７１のチューブ状の構成に基づき、表面積の増大が生ぜしめられており、これにより改善された空気循環が得られている。ウェブ２７１はそれと同時にスペーサとしても働き、そして灯心の作用を有している。このような灯心は過剰の汗を捕捉して吸い上げ、かつ背中に生じた湿分を水平方向で、背中の気候ゾーン２７の、側方で隣接した範囲へ搬出する。発汗量の比較的少ない個所に位置している衣服のこのような範囲では、湿分は次いで蒸発し得る。それと同時に、形成される空気クッションは断熱作用を発揮する。これにより、他ならぬ高い発汗量により特徴づけられた背中範囲において良好な気候調整が提供されている。この実施例の変化形では、皮膚に面した側に、皮膚に接触する網状の布地を設けることが可能となる。これにより、皮膚と接触していないストリップ２７２とこの布地との間には付加的に空気室が形成されている。
【００２９】
ふくらはぎの範囲では、衣服が空気トラップ２９を備えている。これらの空気トラップ２９は背中の気候ゾーン２７に対してほぼ比較可能な構成を有しており、この構成はこの実施例では水平方向に向けられている。空気トラップ２９は複数のウェブ２９１と、これらのウェブ２９１の間に配置されたストリップ２９２とから成っている。この場合にも同じく提供された空気クッションに基づき、身体は体温低下に対して保護されている。ウェブ２９１の間に形成されたストリップ２９２はさらに、この範囲における衣服の伸縮性を生ぜしめる。その結果、この範囲はいかなる種類の運動に対しても極めて良好な適合をもたらす。
【００３０】
気候ゾーンを形成するために衣服にはさらに気候エレメントを使用することができる。これにより、衣服を特定の身体個所およびその発汗量に最適に調和させることができる。図８に例示的に図示した気候エレメント３は、波形に配置されたファブリックもしくは布地３２をベースにしている。こうして配置された布地３２の上側は保持布地３３によって覆われる。気候エレメント３は汗玉３５で湿らされた皮膚３４に弾性的に載着される。気候エレメント３はさらに複数の中空室３６，３７を有している。布地３２および保持布地３３は図８に示した実施例では被覆体３８を備えている。
【００３１】
布地３２の波形の配置に基づき、ウェブ３２１とリブ３２２とが交互に並設されている状態が実現されている。リブ３２２は保持布地３３と共に中空室３７を形成している。気候エレメント３のウェブ３２１と皮膚３４との間には、中空室３６が形成されている。中空室３６の側部は、皮膚３４に載着したリブ３２２によって仕切られる。ウェブ３２１はこの実施例ではリブ３２２の２倍の幅を有している。
【００３２】
気候エレメント３は種々異なる材料から製造されている。リブベース３２２１は材料Ａから製造されている。この材料は、特に汗の形の湿分を特に迅速に吸収するために適している。リブ壁３２２２は材料Ｂから製造されている。この材料は灯心機能を有しており、このような灯心機能により、汗は皮膚３４から離れる方向でウェブ３２１へ向かって搬送されるようになる。ウェブ３２１は材料Ｃから成っている。材料Ｃは、材料Ｂによりウェブ３２１へ向かって搬送された湿分を周辺部へ放散させる、つまり蒸散を実施することができる。蒸発面はこの場合、皮膚３４から離れる方向にずらされている。個々の材料の間の移行範囲では、これらの材料の混合が可能である。すなわち、材料Ａと材料Ｂとの間もしくは材料Ｂと材料Ｃとの間には、それぞれ図９から判るような材料組合せが存在している。
【００３３】
リブ３２２の極めて小幅の構成に基づき、気候エレメント３と皮膚３４との間には点接触しか生じない。この場合、皮膚３４と接触しているリブベース３２２１は気候エレメント３のその他の範囲程著しく疎水性ではない。皮膚３４から離れる方向でのリブ壁３２２２の毛管作用（灯心作用）に基づき、極めて高い発汗量で汗玉３５が生じた場合でも、皮膚３４には乾燥した感覚が生まれる。さらに、種々の材料の使用に基づき、湿分の最適化された流れが得られる。皮膚３４から放出される体熱により、外部への湿分の流れは付加的に助成される。
【００３４】
布地３２および保持布地３３は図８に示した実施例では所定の区分毎に被覆体３８を備えている。この被覆体３８のコーティングは電気メッキにより行われると有利である。被覆体３８は銅、金、ポリテトラフルオロエチレンまたは特に有利には銀から成っている。種々異なる被覆体３８を用いて、種々異なる作用が得られる。たとえば銅もしくは銀を用いると、抗菌作用（antifungizide Wirkung）を得ることができる。それに対して、ポリテトラフルオロエチレンから成る被覆体は皮膚における摩擦の減少を生ぜしめる。
【００３５】
中空室３６は空気チャンバの機能を有していて、ウェブ３２１を加熱する蓄熱器として働く。本発明による方法では、テキスタイルリブ３２２を備えた布地３２が製作される。この布地３２を用いると、湿分は毛管作用によって皮膚３４から離れる方向で、テキスタイル表面を形成するウェブ３２１へ案内される。これにより促進された、ウェブ３２１の比較的大きな表面における蒸発３５１により、接触しているリブ壁３２２２に負圧が生ぜしめられ、この負圧は皮膚３４から離れる方向での湿分流の増大を生ぜしめる。したがって、ウェブ３２１の蒸散出力は、皮膚３４から放出される熱が増大すればするほど、ますます向上する。
【００３６】
図１１には、スポーツ活動時における当該方法の作業形式が概略的に図示されている。図面中、ＴＨは皮膚の温度（ほぼ体温に相当する）を示しており、ＴＫは空気チャンバ内の温度を示しており、ＴＵは周辺温度を示している。図面には、周辺温度ＴＵが皮膚温度ＴＨよりも低く、その結果、空気チャンバ内の温度ＴＫが皮膚温度ＴＨよりも低いが、しかし周辺温度ＴＵよりも高いという事例が図示されている。したがって、要求に応じた皮膚除湿が生ぜしめられる。身体が静止している場合には、皮膚からはあまり熱が放出されず、小さな除湿能力ならびに僅かな発汗しか存在しない。スポーツ活動中では、汗形成が増大すると共に皮膚温度も上昇し、これにより高い除湿能力が生ぜしめられる。
【００３７】
空気チャンバとして機能する中空室３６，３７の形には、さらに空気緩衝器として働く範囲が設けられている。これにより、気候調整の一層の改善が生ぜしめられる。つまり、空気チャンバ３７は皮膚から放出される熱によって同じく連続的に加熱される。これにより、特に低温の天候条件の場合には、加熱された皮膚と、低温の周辺空気との間に緩衝器が提供されるので、快適な着装感が得られる。さらに、気候エレメントの全体的に弾性的な構成に基づき、圧縮作用が生ぜしめられ、この圧縮作用は血圧維持を改善し、これにより細胞への供給が増大される。さらに、筋肉振動の低減が生ぜしめられる。有利には気候エレメントの製造時に裁断された製品が使用されない。
【００３８】
本発明による衣服は種々の気候ゾーン１，２を設けることにより、気候エレメント３の部分的な使用下に、特にスポーツ活動時に生じる種々異なる負荷を考慮する。すなわち、スポーツの際に高い体温および高い発汗量が生じるゾーン（たとえばひかがみ、背中、大腿内側）には、熱溜まりを回避しかつ発生した汗を皮膚から導出し、さらに蒸発を改善するような気候ゾーンが設けられている。スポーツ活動時でも体温がほとんど上昇せず、また発汗量も平均以下となる身体ゾーン（たとえば膝、肘、骨盤）には、冷感を回避するような気候ゾーンが設けられている。これにより、全体的には身体の能力範囲が拡張されている。
【００３９】
実施例の説明および特許請求の範囲において衣服について言及する場合、本発明はこのような一体の構成に限定されるものではない。それどころか、個々の気候ゾーンまたは全ての気候ゾーンが複数の衣服に分配されていてよく、たとえば上部とズボンとの形に分配されていてよい。また、複数の別個の衣服において本発明の個々の特徴または全ての特徴を組み合わせることも本発明の枠内に包含されている。本発明の特徴は下着に適用されていてもよいし、下着の上に着る衣服に適用されていてもよい。
【図面の簡単な説明】
【００４０】
【図１】気候調整式の衣服を着装した人間を正面から見た図である。
【００４１】
【図２】図１に示した人間を右側から見た図である。
【００４２】
【図３】図１に示した人間を背後から見た図である。
【００４３】
【図４】図３に「Ｘ」で示した範囲の、皮膚とは反対の側を示す拡大図である。
【００４４】
【図５】図４に示した部分の、皮膚に面した側を示す図である。
【００４５】
【図６】図４のＶＩ−ＶＩ線に沿った断面図である。
【００４６】
【図７】図４のＶＩＩ−ＶＩＩ線に沿った断面図である。
【００４７】
【図８】気候調整式の気候エレメントの横断面図である。
【００４８】
【図９】波形に配置された布地における範囲毎のテクスタイルミックスを概略的に示す図である。
【００４９】
【図１０】気候調整式の気候エレメントの、皮膚に面した側の概略図である。
【００５０】
【図１１】皮膚除湿のための方法を示す概略図である。
【図１】
2005517095.tif 000003
【図２】
2005517095.tif 000004
【図３】
2005517095.tif 000005
【図４】
2005517095.tif 000006
【図５】
2005517095.tif 000007
【図６】
2005517095.tif 000008
【図７】
2005517095.tif 000009
【図８】
2005517095.tif 000010
【図９】
2005517095.tif 000011
【図１０】
2005517095.tif 000012
【図１１】
2005517095.tif 000013
【国際調査報告】
2005517095.tif 000014
2005517095.tif 000015
2005517095.tif 000016
2005517095.tif 000017
2005517095.tif 000018
2005517095.tif 000019